(57)【要約】【課題】  無機質で且つ画一的かつ無表情の構造物である従来の金属製フェンスに装飾性を付与し、温かな生活感を与えるハンガー式フェンスカバーを得る。【解決手段】  形状或いは模様の装飾を施した木製、竹製或いは合成樹脂製の板状フェンスカバー本体２の裏面に、格子状の金属製フェンス３の格子や網目状の金属製フェンスの桟などに掛脱可能な掛止具４を設け、金属製フェンス３の格子や桟に掛止具４を掛けることにより、板状フェンスカバー本体２を金属製フェンス３に取り付け、金属製フェンス２をあたかも木製、竹製或いは合成樹脂製のフェンスの如く模様替えすることができるようにした。【選択図】  図１
2015218477.tif 000002
【特許請求の範囲】
【請求項１】
形状或いは模様の装飾を施した木製、竹製或いは合成樹脂製の板状フェンスカバー本体の裏面に、格子状の金属製フェンスの格子や網目状の金属製フェンスの桟などに掛脱可能な掛止具を設けたことを特徴とするハンガー式フェンスカバー。
【請求項２】
前記板状フェンスカバー本体は、立て方向に長尺な単板を一定の間隔を空けて並べ、裏面に桟板を渡して一体に固定したものであることを特徴とする請求項１に記載のハンガー式フェンスカバー。
【発明の詳細な説明】
【技術分野】
【０００１】
本発明は、格子状の金属製フェンスの格子に掛止して使用されるハンガー式フェンスカバーに関するものである。
【背景技術】
【０００２】
一般に、戸建住宅、マンション、アパート等の周囲に、境界仕切、安全性、防犯性といった目的からフェンスが設けられている。かかるフェンスとして、アルミニウムや鉄などの金属製のフェンスがあり、金属製のフェンスとして、格子状のフェンスや網目状のフェンスが多く見られる（例えば、特許文献１，２，３参照。）。
これらの金属製フェンスにあっては、安全性、防犯性といった面の配慮はあっても景観に配慮したものは少なく、殆どが画一的かつ無表情の構造物となっている。
【先行技術文献】
【特許文献】
【０００３】
【特許文献１】特開平６−２２９１４８号公報
【特許文献２】特開２００３−２１３９７２号公報
【特許文献３】特開２００６−２１４２３０号公報
【発明の概要】
【発明が解決しようとする課題】
【０００４】
上記した従来の金属製フェンスは、無機質で且つ画一的かつ無表情の構造物であるため、装飾性に劣り、また、そこから温かな生活感は伝わってこないといった問題があった。
【０００５】
本発明の目的は、無機質で且つ画一的かつ無表情の構造物である従来の金属製フェンスに装飾性を付与し、温かな生活感を与えるハンガー式フェンスカバーを提供することにある。
【課題を解決するための手段】
【０００６】
上記の目的を達成するために、請求項１に記載の発明は、形状或いは模様の装飾を施した木製、竹製或いは合成樹脂製の板状フェンスカバー本体の裏面に、格子状の金属製フェンスの格子や網目状の金属製フェンスの桟などに掛脱可能な掛止具を設けたことを特徴とする。
【０００７】
請求項２に記載の発明は、請求項１に記載の、前記板状フェンスカバー本体は、立て方向に長尺な単板を一定の間隔を空けて並べ、裏面に桟板を渡して一体に固定したものであることを特徴とする。
【発明の効果】
【０００８】
請求項１に記載のハンガー式フェンスカバーによれば、形状或いは模様の装飾を施した木製、竹製或いは合成樹脂製の板状フェンスカバー本体の裏面に、格子状の金属製フェンスの格子や網目状の金属製フェンスの桟などに掛脱可能な掛止具を設けたので、金属製フェンスの格子や桟に掛止具を掛けるといった簡単な作業により，ハンガー式フェンスカバーを金属製フェンスに取り付けることができ、そして、金属製フェンスをあたかも木製、竹製或いは合成樹脂製のフェンスの如く模様替えすることができるので、豊かな美的環境と木や竹の温もり感や合成樹脂の柔らか感による温かな生活感を得ることができる。
そして、金属製フェンスの格子や桟に掛けたハンガー式フェンスカバーは、取り外せるので、メンテナンスが容易に行え、また台風などの強風時には、取り外して保管しておくこともできる。また、異なる形状や模様の装飾を施した板状フェンスカバー本体で構成される複数のハンガー式フェンスカバーを用意しておくことにより、例えば、四季に応じて取り替えて楽しむこともできる。
【０００９】
請求項２に記載のハンガー式フェンスカバーによれば、前記板状フェンスカバー本体は、立て方向に長尺な単板を一定の間隔を空けて並べ、裏面に桟板を渡して一体に固定したものであるので、各単板の間から透光性や通気性を確保することができる。
【図面の簡単な説明】
【００１０】
【図１】本発明に係るハンガー式フェンスカバーの実施の形態の一例を示す斜視図である。
【図２】板状フェンスカバー本体の裏面に掛止具を設けた箇所を示す拡大分解斜視図である。
【図３】掛止具の他例を示す側面図である。
【図４】本例のハンガー式フェンスカバーを金属製フェンスの格子に掛けた状態を示す側断面図である。
【図５】本例のハンガー式フェンスカバーを金属製フェンスの格子に掛けて金属製フェンスをカバーした状態を示す説明図である。
【発明を実施するための形態】
【００１１】
以下、本発明に係るハンガー式フェンスカバーの実施の形態の一例を、図面を参照して詳細に説明する。
図１は本例のハンガー式フェンスカバーを示す斜視図、図２は本例の板状フェンスカバー本体の裏面に掛止具を設けた箇所を示す拡大分解斜視図、図３は掛止具の他例を示す側面図、図４は本例のハンガー式フェンスカバーを金属製フェンスの格子に掛けた状態を示す側断面図、図５は本例のハンガー式フェンスカバーを金属製フェンスの格子に掛けて金属製フェンスをカバーした状態を示す説明図である。
【００１２】
本例のハンガー式フェンスカバー１は、形状或いは模様の装飾を施した木製、竹製或いは合成樹脂製の板状フェンスカバー本体２の裏面に、金属製フェンス３の格子３ａに掛脱可能な掛止具４を設けている。
【００１３】
板状フェンスカバー本体２は、本例では、立て方向に長尺な単板２ａを複数枚用意し、これを一定の間隔を空けて並べ、裏面に桟板２ｂを渡して釘或いはボルト（図示せず）で一体に固定した構成となっている。各単板２ａは、それぞれ意匠を施した所定の形状に形成されており、全体として統一された美観を呈するように構成されている。
【００１４】
桟板２ｂには、金属製フェンス３の格子３ａの位置に合うように掛止具４が桟板２ｂの長さ方向に沿って複数設けられている。掛止具４にあっては、金属製フェンス３の格子３ａに掛脱可能となっており、且つ格子３ａに掛止した状態で板状フェンスカバー本体２を支えられるものであれば特に限定されるものではなく、公知の掛止具を用いてもよい。
【００１５】
掛止具４として、本例では、図２に示すように、内側を格子収容部Ａとする下向き掛止フック４ａを有する掛止具４が用いられており、基部４ｂがねじ釘５で桟板２ｂに固定して設けられている。桟板２ｂへ掛止具４を設ける場合、ハンガー式フェンスカバー１を金属製フェンス３に取り付ける際に、格子３ａの位置に合わせて設けることが好ましい。
また、掛止具４が、図３に示すように、上下に下向き掛止フック４ａと、上向き掛止フック４ｃを有するＳ字状に形成されたものである場合、掛止具４を桟板２ｂへねじ釘等で固定する必要は無く、上向き掛止フック４ｃに桟板２ｂを掛けて設けることができ、そして、下向き掛止フック４ａの内側に係止される格子収容部Ａに格子３ａを収容させるようにして、下向き掛止フック４ａを金属製フェンス３の格子３ａに掛止させることにより、ハンガー式フェンスカバー１を金属製フェンス３に取り付けることができる。
また、本例では、金属製フェンス３の格子３ａに掛けた掛止具４が格子３ａから外れるのを防止する外れ防止手段６が備えられている。外れ防止手段６にあっては、掛止具４が格子３ａから外れるのを防止できるものであれば、その構成は特に限定されない。本例では、外れ防止手段６として、下向き掛止フック４ａの先端部に、格子収容部Ａの開口側を塞ぎ、格子収容部Ａに収容している、即ち、下向き掛止フック４ａに掛止している下向き掛止フック４ａが格子３ａから抜け出すのを防止するねじ杆７が着脱可能に設けられている。
【００１６】
このように構成されたハンガー式フェンスカバー１は、次のようにして使用される。
図４、図５に示すように、ハンガー式フェンスカバー１の裏面、即ち、板状フェンスカバー本体２の裏面の桟板２ｂに設けられている掛止具４の掛止フック４ａを金属製フェンス３の格子３ａに掛けることにより、ハンガー式フェンスカバー１を金属製フェンス３に取り付けて金属製フェンス３をカバーする。
【００１７】
このように、本例のハンガー式フェンスカバー１によれば、形状或いは模様の装飾を施した木製の板状フェンスカバー本体２で金属製フェンス３をカバーするので、金属製フェンス３をあたかも木製フェンスの如く模様替えすることができ、豊かな美的環境と温かな生活感が得られる。
そして、ハンガー式フェンスカバー１は、掛止具４を金属製フェンス３の格子３ａに掛止するといった簡単な作業により容易に取り付けることができ、また、簡単に取り外せるので、メンテナンスが容易に行え、また台風などの強風時には、取り外して保管しておくこともできる。
また、本例では、金属製フェンス３の格子３ａに掛けた掛止具４が格子３ａから外れるのを防止する外れ防止手段６が備えられているので、強風時でもハンガー式フェンスカバー１が金属製フェンス３の格子３ａから離脱するおそれはない。
また、異なる形状や模様の装飾を施した板状フェンスカバー本体２で構成される複数のハンガー式フェンスカバー１を用意しておくことにより、適宜取り替えて楽しめる。
【００１８】
また、本例では、板状フェンスカバー本体２は、立て方向に長尺な単板２ａを一定の間隔を空けて並べ、裏面に桟板２ｂを渡して一体に固定したものであるので、各単板の間から透光性や通気性が確保できる。
なお、本例では、ハンガー式フェンスカバー１は、掛止具４を格子状の金属製フェンス３の格子３ａに掛止して使用する例を示しているが、網目状の金属製フェンスの桟に掛止して使用することもできる。
【符号の説明】
【００１９】
１  ハンガー式フェンスカバー
２  板状フェンスカバー本体
２ａ  単板
２ｂ  桟板
３  金属製フェンス
３ａ  格子
４  掛止具
４ａ  下向き掛止フック
４ｂ  基部
４ｃ  上向き掛止フック
５  ねじ釘
６  外れ防止手段
７  ねじ杆
Ａ  格子収容部
【図１】
2015218477.tif 000003
【図２】
2015218477.tif 000004
【図３】
2015218477.tif 000005
【図４】
2015218477.tif 000006
【図５】
2015218477.tif 000007